(57)【要約】【課題】塵埃除去部への負荷を軽減しながら、コヨリ状に長く太くなった塵埃を短く切断して、確実に吸引することができる空気調和機のフィルター装置を提供する。【解決手段】熱交換器（図示せず）を通過する空気に含まれる塵埃を除去するエアフィルター（図示せず）に沿って移動可能な吸引ノズル３と、吸引ノズル３に連結された吸引装置（図示せず）と、吸引ノズル３に設けた吸引孔８の左右両方あるいは、いずれかに設けられた塵埃除去部９と、エアフィルターに分割して設けられた塵埃除去部清掃部（図示せず）とを備え、吸引ノズル３の移動時に、塵埃除去部９を塵埃除去部清掃部に当接させるもので、塵埃除去部９が掻き落した塵埃がコヨリ状に長く太くなっても、塵埃除去部清掃部と、塵埃除去部９が当接することで、塵埃除去部９への負荷を軽減しながら塵埃を短く切断し、吸引性を向上させることが可能となる。【選択図】図１
2010210165.tif 000002
【特許請求の範囲】
【請求項１】
空気調和機の熱交換器を通過する空気に含まれる塵埃を除去するエアフィルターと、前記エアフィルターに沿って移動可能な吸引ノズルと、前記吸引ノズルに連結された吸引装置により構成される空気調和機のフィルター装置において、前記吸引ノズルに設けた塵埃吸引部の左右両方あるいは、いずれかに設けられた塵埃除去部と、前記エアフィルターに分割して設けられた塵埃除去部清掃部とを備え、前記吸引ノズルの移動時に、前記塵埃除去部を前記塵埃除去部清掃部に当接させることを特徴とする空気調和機のフィルター装置。
【請求項２】
塵埃除去部清掃部を、エアフィルターの斜桟に設けたことを特徴とする請求項１に記載の空気調和機のフィルター装置。
【請求項３】
吸引ノズルに設けた塵埃吸引部の上下左右方向の全てあるいはいずれかに、エアフィルターの縦桟あるいは斜桟に設けた塵埃除去部清掃部と挟み込む形状の突起を設けたことを特徴とする請求項１又は２に記載の空気調和機のフィルター装置。
【請求項４】
塵埃吸引部の下部に、切断した塵埃の落下を防止する塵埃落下防止形状を設けたことを特徴とする請求項１〜３のいずれか１項に記載の空気調和機のフィルター装置。
【請求項５】
吸引ノズルに塵埃吸引部を有するフィルムを配し、塵埃落下防止形状を、前記塵埃吸引部からの前記フィルムの切り起しで形成したことを特徴とする請求項４に記載の空気調和機のフィルター装置。
【請求項６】
吸引ノズルに設けた突起の先端を鋭角にしたことを特徴とする請求項３〜５のいずれか１項に記載の空気調和機のフィルター装置。
【請求項７】
請求項１〜６のいずれか１項に記載された空気調和機のフィルター装置を用いた空気調和機。
【発明の詳細な説明】
【技術分野】
【０００１】
本発明は、空気調和機のエアフィルターの清掃を行う空気調和機のフィルター装置及びそれを搭載した空気調和機に関するものである。
【背景技術】
【０００２】
従来の空気調和機のフィルター装置は、熱交換器の前面に設けられ、空気調和機本体内部へ埃が侵入するのを防ぐエアフィルターから構成されていた。このエアフィルターは、付着した塵埃を手で清掃できるように、空気調和機本体に着脱自在に取り付けられていた。しかし、このように構成されたフィルター装置は、頻繁なメンテナンスが必要となるだけでなく、メンテナンスが行われるまでの間には、エアフィルターが徐々に目詰まりしていき、その結果、熱交換器を通過する風量が低下し、空調能力が低下して消費電力の増大につながるという問題があった。
【０００３】
そこで、上記問題を解決し、エアフィルターのメンテナンスの手間を低減する目的で、エアフィルターに付着した塵埃をブラシにて定期的に、しかも自動で清掃する空気調和機のフィルター装置が提案されている（例えば、特許文献１参照）。
【０００４】
しかし、上記特許文献１に記載された従来の空気調和機のフィルター装置では、ブラシとエアフィルターがお互いにこすられると、塵埃がコヨリ状になり吸引ノズルが左右駆動する程、塵埃が長く太くなり、吸引ノズルで吸引できなくなるという問題があった。
【０００５】
そこで、この問題を解決するために、コヨリ状に長く太くなった塵埃を短く切るようにして、吸引ノズルで確実に吸引できるようにした空気調和機のフィルター装置が提案されている（例えば、特許文献２参照）。
【特許文献１】特開２００１−９９４７９号公報
【特許文献２】特開２００７−２９２３９７号公報
【発明の開示】
【発明が解決しようとする課題】
【０００６】
しかしながら、上記特許文献２に記載された従来の空気調和機のフィルター装置の構成では、塵埃が長く太くなった場合に、切断される大きさが必ずしも一定ではなく、また、切断時に吸引ノズルの塵埃除去部に対して負荷が大きくかかるという課題を有していた。
【０００７】
本発明は、上記従来の課題を解決するもので、塵埃除去部への負荷を軽減しながら、コヨリ状に長く太くなった塵埃を短く切断して、確実に吸引することができる空気調和機のフィルター装置を提供することを目的とする。
【課題を解決するための手段】
【０００８】
前記従来の課題を解決するため本発明の空気調和機のフィルター装置は、空気調和機の熱交換器を通過する空気に含まれる塵埃を除去するエアフィルターと、前記エアフィルターに沿って移動可能な吸引ノズルと、前記吸引ノズルに連結された吸引装置により構成される空気調和機のフィルター装置において、前記吸引ノズルに設けた塵埃吸引部の左右両方あるいは、いずれかに設けられた塵埃除去部と、前記エアフィルターに分割して設けられた塵埃除去部清掃部とを備え、前記吸引ノズルの移動時に、前記塵埃除去部を前記塵埃除去部清掃部に当接させるもので、負荷を軽減させながら塵埃を分割することで吸引性を向上させることが可能となる。
【０００９】
また、本発明の空気調和機は、請求項１〜６のいずれか１項に記載された空気調和機のフィルター装置を用いたもので、エアフィルターに付着した塵埃を自動で確実に吸引清掃することができる空気調和機を提供することができる。
【発明の効果】
【００１０】
本発明の空気調和機のフィルター装置は、分割された塵埃除去部清掃部の突起に、塵埃除去部が当接することにより、エアフィルターに付着し、コヨリ状の長く太くなった塵埃を、塵埃除去部への負荷を軽減しながら、短く切断し、自動で確実に吸引清掃することができるものである。
【発明を実施するための最良の形態】
【００１１】
第１の発明は、空気調和機の熱交換器を通過する空気に含まれる塵埃を除去するエアフィルターと、前記エアフィルターに沿って移動可能な吸引ノズルと、前記吸引ノズルに連結された吸引装置により構成される空気調和機のフィルター装置において、前記吸引ノズルに設けた塵埃吸引部の左右両方あるいは、いずれかに設けられた塵埃除去部と、前記エアフィルターに分割して設けられた塵埃除去部清掃部とを備え、前記吸引ノズルの移動時に、前記塵埃除去部を前記塵埃除去部清掃部に当接させるもので、負荷を軽減させながら塵埃を分割することで吸引性を向上させることが可能となる。
【００１２】
第２の発明は、特に、第１の発明の塵埃除去部清掃部を、エアフィルターの斜桟に設けたもので、塵埃除去部への負荷を軽減することが可能となる。
【００１３】
第３の発明は、特に、第１又は第２の発明の吸引ノズルに設けた塵埃吸引部の上下左右方向の全てあるいはいずれかに、エアフィルターの縦桟あるいは斜桟に設けた塵埃除去部清掃部と挟み込む形状の突起を設けたもので、塵埃を容易に小型に分割することができ、それにより吸引性を向上し、エアフィルター上の塵埃の良好な吸引清掃を行うことが可能となる。
【００１４】
第４の発明は、特に、第１〜３のいずれか一つの発明の塵埃吸引部の下部に、切断した塵埃の落下を防止する塵埃落下防止形状を設けたもので、分割、小型化した塵埃を落下させることなく吸引し除去できるため、信頼性の高い空気調和機のフィルター装置を提供することが可能となる。
【００１５】
第５の発明は、特に、第４の発明の吸引ノズルに塵埃吸引部を有するフィルムを配し、塵埃落下防止形状を、前記塵埃吸引部からの前記フィルムの切り起しで形成したもので、安価で塵埃を落下させない構成にすることが可能となる。
【００１６】
第６の発明は、特に、第３〜５のいずれか一つの発明の吸引ノズルに設けた突起の先端を鋭角にしたもので、エアフィルターの桟に設けた塵埃除去部清掃部と挟み込んだ際に塵埃の切断性を向上させることが可能となる。
【００１７】
第７の発明における空気調和機は、請求項１〜６のいずれか１項に記載された空気調和機  のフィルター装置を用いたもので、エアフィルターに付着した塵埃を自動で確実に吸引清掃することができる空気調和機を提供することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における空気調和機のフィルター装置の構成例を示した
斜視図、図２は、同空気調和機のフィルター装置の吸引ノズルの正面図及び斜視図、図３は、同空気調和機のフィルター装置のエアフィルターの斜視図、図４は、図３の拡大Ａ−Ａ断面図である。
【００２０】
図１〜図４において、本実施の形態における空気調和機のフィルター装置は、空気調和機に内蔵された熱交換器（図示せず）を通過する空気の塵埃を除去すると共に縦桟２ａを有するエアフィルター２と、エアフィルター２を支持固定するフィルターワク１と、エアフィルター２の表面に沿って移動可能な吸引ノズル３を備えている。
【００２１】
吸引ノズル３は、フィルターワク１の上下端に設置されたガイドレール４により、エアフィルター２と極めて狭い間隙を保って円滑に左右に移動することができる。エアフィルター２上に付着した塵埃は、この吸引ノズル３より吸引される。さらに、吸引ノズル３には、吸引ダクト５が連結され、さらに吸引ダクト５は、吸引装置６に連結されている。吸引ダクト５は、吸引ノズル３の移動に差し支えないように折り曲げ可能なダクトで形成されている。
【００２２】
また、図２に示すように、吸引ノズル３には、フィルム７が設けられ、一方、フィルム７には、塵埃吸引部としての吸引孔８があり、吸引孔８の近傍には、塵埃除去部９が設けられており、ステッピングモーター１０によって、フィルム７は上下方向のいずれにも自在に駆動できるようになっている。また、エアフィルター２の表面には、分割された塵埃除去部清掃部１１が設けられてある。
【００２３】
以上のように構成された本実施の形態における空気調和機のフィルター装置の動作、作用は以下の通りである。
【００２４】
吸引装置６を動作させながら、吸引ノズル３を、エアフィルター２の一端、例えば、右端から反対側、すなわち左端に向けて、図示しない駆動手段で移動させると、エアフィルター２の表面に付着した塵埃が、塵埃除去部９で掻き取られ、その掻き取られた塵埃は、塵埃除去部９の近傍の吸引孔８から吸引され、吸引ダクト５を経由して吸引装置６に運ばれていく。
【００２５】
そして、吸引ノズル３がエアフィルター２の左端に達すると、ステッピングモーター１０を駆動させて、フィルム７を、例えば、下方に、吸引孔８の長さの分だけ移動させ、今度は、吸引ノズル３を、駆動手段でエアフィルター２の右端に向かって移動させる。これを繰り返すことにより、エアフィルター２の全面を清掃することが出来る。また、本実施の形態では、吸引ノズル３が左右に移動する際に、塵埃除去部９が、エアフィルター２の表面に設けた塵埃除去部清掃部１１に当接し、コヨリ状に長く太くなった塵埃が切断され、吸引孔８から確実に吸引されていく。
【００２６】
以上のように、本実施の形態における空気調和機のフィルター装置によれば、塵埃除去部９が掻き落した塵埃がコヨリ状に長く太くなっても、塵埃除去部９をエアーフィルター２に設けた塵埃除去部清掃部１１に当接させることで、塵埃除去部９への負荷を軽減しながら、掻き集められコヨリ状となった塵埃を切断することで、更にエアフィルター２に付着した塵埃の安定した吸引清掃が可能な空気調和機のフィルター装置を提供することができる。
【００２７】
（実施の形態２）
図５は、本発明の実施の形態２における空気調和機のフィルター装置のエアフィルターの斜視図である。なお、上記実施の形態１における空気調和機のフィルター装置と同一部分には、同一符号を付してその説明を省略する。
【００２８】
本実施の形態における空気調和機のフィルター装置は、複数の塵埃除去部清掃部１１ａ、１１ｂ、１１ｃを、エアフィルター２の斜桟２ｂに順番に設けたものである。
【００２９】
これにより、塵埃除去部９に、塵埃除去部清掃部１１ａ、１１ｂ、１１ｃが順番に当接することになり、塵埃分割時に塵埃除去部９に掛かる負荷を軽減し、エアフィルター２上の塵埃の安定した吸引清掃を行うことが可能な空気調和機のフィルター装置を提供することができる。
【００３０】
（実施の形態３）
図６は、本発明の第３の実施の形態における空気調和機のフィルター装置の吸引ノズルの正面図及び斜視図である。尚、上記実施の形態における空気調和機のフィルター装置と同一部分には、同一符号を付してその説明を省略する。
【００３１】
本実施の形態における空気調和機のフィルター装置は、図６に示すように、吸引ノズル３に設けた吸引孔８の左方向に塵埃除去突起１２を設け、吸引ノズル３が左右に移動する際に、この塵埃除去突起１２とエアフィルター２の縦桟２ａあるいは斜桟２ｂに設けた塵埃除去部清掃部１１とが挟み込み、鋏と同様の効果を得るようにしたものである。
【００３２】
上記構成により、エアフィルター２の縦桟２ａ又は斜桟２ｂに設けた塵埃除去部清掃部１１と塵埃除去部９の当接による塵埃コヨリ分割時の負荷を塵埃除去部９にかけることなく、塵埃を分割し、吸引清掃を行うことが可能な空気調和機のフィルター装置を提供することができる。
【００３３】
また、同図６に示すように、吸引ノズル３に設けた吸引孔８の下部に、切断された塵埃が吸引孔８から吸引される前に落下するのを防止する塵埃落下防止形状１３を設けるようにすれば、塵埃の落下を防止し、吸引清掃を確実に行うことが可能な空気調和機のフィルター装置を提供することができる。
【００３４】
（実施の形態４）
図７は、本発明の第４の実施の形態における空気調和機のフィルター装置の吸引ノズルの正面図及び斜視図である。尚、上記実施の形態における空気調和機のフィルター装置と同一部分には、同一符号を付してその説明を省略する。
【００３５】
本実施の形態における空気調和機のフィルター装置は、図７に示すように、第３の実施の形態における塵埃落下防止形状１３を、フィルム７の切り起しで形成するもので、これにより、余分な部品を使うことなく、安価な構成とすることが可能となる。
【００３６】
（実施の形態５）
図８は、本発明の第５の実施の形態における空気調和機のフィルター装置の吸引ノズルの正面図及び斜視図である。尚、上記実施の形態における空気調和機のフィルター装置と同一部分には、同一符号を付してその説明を省略する。
【００３７】
本実施の形態における空気調和機のフィルター装置は、図８に示すように、吸引ノズル３に設けた塵埃除去突起１２の先端を鋭角にしたもので、エアフィルタ２の縦桟２ａ又は、斜桟２ｂに設けた塵埃除去部清掃部１１と挟み込んだ際に、塵埃の切断性を向上させ、確実に塵埃の分割を行い小型化をすることが可能となる。
【００３８】
尚、上記実施の形態１〜５で述べた空気調和機のフィルター装置を、空気調和機に用いることで、エアフィルター２に付着した塵埃を自動で確実に吸引清掃することができる空
気調和機を提供できるものである。
【産業上の利用可能性】
【００３９】
以上のように本発明に係る空気調和機のフィルター装置は、塵埃除去部への負荷を軽減しながら、コヨリ状に長く太くなった塵埃を短く切断して、確実に吸引することができるもので、空気調和機に限らず、エアフィルターを備えた各種機器に適用できる。
【図面の簡単な説明】
【００４０】
【図１】本発明の実施の形態１における空気調和機のフィルター装置の構成例を示した斜視図
【図２】（ａ）同空気調和機のフィルター装置の吸引ノズルの正面図（ｂ）同吸引ノズルの斜視図
【図３】同空気調和機のフィルター装置のエアフィルターの斜視図
【図４】図３の拡大Ａ−Ａ断面図
【図５】本発明の実施の形態２における同空気調和機のフィルター装置のエアフィルターの斜視図
【図６】（ａ）本発明の実施の形態３における同空気調和機のフィルター装置の吸引ノズルの正面図（ｂ）同吸引ノズルの斜視図
【図７】（ａ）本発明の実施の形態４における同空気調和機のフィルター装置の吸引ノズルの正面図（ｂ）同吸引ノズルの斜視図
【図８】（ａ）本発明の実施の形態５における同空気調和機のフィルター装置の吸引ノズルの正面図（ｂ）同吸引ノズルの斜視図
【符号の説明】
【００４１】
１  フィルターワク
２  エアフィルター
２ａ  縦桟
２ｂ  斜桟
３  吸引ノズル
４  ガイドレール
５  吸引ダクト
６  吸引装置
７  フィルム
８  吸引孔（塵埃吸引部）
９  塵埃除去部
１０  ステッピングモーター
１１、１１ａ、１１ｂ、１１ｃ  塵埃除去部清掃部
１２  塵埃除去突起（突起）
１３  塵埃落下防止形状
【図１】
2010210165.tif 000003
【図２】
2010210165.tif 000004
【図３】
2010210165.tif 000005
【図４】
2010210165.tif 000006
【図５】
2010210165.tif 000007
【図６】
2010210165.tif 000008
【図７】
2010210165.tif 000009
【図８】
2010210165.tif 000010